(57)【要約】  タッチスクリーン端末の操作制御方法及び移動端末を提供しており、前記方法は、移動端末は指定された状況下で操作タイプロック状態に入ること、及び前記移動端末は指定されたタイプの操作を検出した後、該指定されたタイプの操作への応答を禁止することを含む。本発明の実施例はユーザが移動端末を使用する時、画面の画面ロックと同様な、ミスタッチ又は誤操作を予防する効果を得ることができるとともに、待機インタフェースの内容を見る必要がある時、不必要な画面ロックインタフェースにブロックされず、それにより、ユーザの操作を簡素化し、移動端末の操作エクスペリエンスを向上させる。【選択図】図１
2015527652.tif 000002
【特許請求の範囲】
【請求項１】
移動端末が指定された状況下で操作タイプロック状態に入ることと、
前記移動端末が指定されたタイプの操作を検出した後、前記指定されたタイプの操作への応答を禁止することとを含むタッチスクリーン端末の操作制御方法。
【請求項２】
前記指定された状況は、
前記移動端末が指定された時間帯内にいかなる操作指示も受信していないこと、
前記移動端末が指定されたイベントを検出したこと、及び
前記移動端末が操作タイプロック状態に入るとの指令を受信したことのいずれか１種の状況を含む請求項１に記載の方法。
【請求項３】
前記指定されたイベントは、前記移動端末が着信又は通話過程にあるイベント、又はユーザによる黒画面待機状態から画面を点灯することを受信したイベントを含む請求項２に記載の方法。
【請求項４】
前記移動端末が指定された状況で操作タイプロック状態に入った後のステップは、
前記移動端末が待機インタフェース、又はユーザによる最後の操作が滞在したインタフェースを表示することを更に含む請求項１に記載の方法。
【請求項５】
前記指定されたタイプの操作は、
画面シングルタッチ、画面ロングタッチ、ボタンシングルタッチ及びボタンロングタッチ、のうちの１種又は複数種を含む請求項１に記載の方法。
【請求項６】
前記移動端末が指定された状況下で操作タイプロック状態に入った後のステップは、
前記移動端末が操作タイプロック状態を解除する指令を受信した後、操作タイプロック状態からログアウトすることを更に含む請求項１〜５のいずれか一つに記載の方法。
【請求項７】
前記操作タイプロック状態を解除する指令は、
ロックされていない操作指令、又は指定されたアイコンに対する操作指令を含む請求項６に記載の方法。
【請求項８】
指定された状況下で操作タイプロック状態に入るように設定される第１モジュールと、
指定されたタイプの操作を検出した後、前記指定されたタイプの操作への応答を禁止するように設定される第２モジュールとを含む移動端末。
【請求項９】
前記指定された状況は、
前記移動端末が指定された時間帯内にいかなる操作指示を受信していないこと、
前記移動端末が、前記移動端末が着信又は通話過程中にあるイベント、又はユーザにより黒画面待機状態から画面を点灯するイベントを含む指定されたイベントを検出したこと、及び
前記移動端末が操作タイプロック状態に入るとの指令を受信したことのいずれか１種の状況を含む請求項８に記載の移動端末。
【請求項１０】
前記第１モジュールが操作タイプロック状態に入った後、待機インタフェース、又はユーザによる最後の操作が滞在したインタフェースを表示するように設定される第３モジュールを更に含む請求項８に記載の移動端末。  
【請求項１１】
前記指定されたタイプの操作は、画面シングルタッチ、画面ロングタッチ、ボタンシングルタッチ及びボタンロングタッチ、のうちの１種又は複数種を含む請求項８に記載の移動端末。
【請求項１２】
前記第１モジュールが操作タイプロック状態に入った後、操作タイプロック状態を解除する指令を受信した後、操作タイプロック状態からログアウトするように設定される第４モジュールを更に備える請求項８〜１１のいずれか一つに記載の移動端末。
【請求項１３】
前記操作タイプロック状態を解除する指令は、
ロックされていない操作指令、又は指定されたアイコンに対する操作指令を含む請求項１２に記載の移動端末。
【発明の詳細な説明】
【技術分野】
【０００１】
本発明の実施例は主に携帯電話応用分野に関し、特にタッチスクリーン端末の操作制御方法及び移動端末に関する。
【背景技術】
【０００２】
画面ロック技術はボタン電話端末の普及期間に現れ、タッチスクリーン移動端末の普及に伴って、画面ロック技術の種類及び実施形態はこれまでにない豊富になっている。
【０００３】
アップル社が提案したタッチ画面の画面ロック状態下でのアンロック方法は従来の多くの移動端末の常用画面アンロック手段であり、主に所定のルート又は所定のターゲットで画面スライド操作を行って携帯電話をアンロックする。この他、従来の各大移動端末会社はいずれも画面アンロック分野に広範囲の展開を行い、特に画面ロックインタフェースでのタッチスクリーン操作により携帯電話アンロックの面で非常に多い技術的解決手段を提案した。
【０００４】
従来のタッチ画面の画面ロック及びアンロック体系は普通、以下の基礎に基づき、つまり、所定の期限内においてユーザが画面上に操作していない時、移動端末は自動的に黒画面待機状態に入り、ユーザが黒画面待機状態下で携帯電話を改めて操作する時、まず画面ロックインタフェースに入り、必ず画面ロックインタフェースで操作してアンロックした後、携帯電話操作インタフェースに入って、更に移動端末の機能を使用することができる。
【０００５】
該基礎に基づいて拡張された技術は、ほとんど、どのような操作により移動端末を画面ロックインタフェースから待機インタフェースに入らせることに焦点を当てる。画面ロックインタフェース自体に対して、その存在価値を探索する技術資料はない。
【０００６】
実際に、画面ロックインタフェースの存在は一部のユーザが直ちに必要な一部の情報を取得することをブロックする。たとえば、ユーザがバックグランドで曲を放送する時、普通は画面ロックインタフェースに曲の名前を表示せず、ユーザは操作せずに、直接にオペレータが待機インタフェースにプッシュしている情報（例えば中国移動が発売するＤＣＤサービス）のみを確認する必要がある時、画面ロックインタフェースはユーザが直ちにこれらの内容を取得することをブロックする。
【０００７】
以上のように、ユーザは、時には操作を行う必要がなく、特定な待機インタフェース内容のみを確認する必要がある時、画面ロックインタフェースの存在はユーザが付加的操作を行ってからこそ所要な情報を確認することができるため、余計である。
【発明の概要】
【発明が解決しようとする課題】
【０００８】
本発明の実施例が解決しようとする技術問題はタッチスクリーン端末の操作制御方法及び移動端末を提供することであり、それにより、ユーザが移動端末を使用する時、画面の画面ロックと同様な、ミスタッチ又は誤操作を予防する効果を得ることができる。
【課題を解決するための手段】
【０００９】
上記技術問題を解決するために、本発明の実施例はタッチスクリーン端末の操作制御方法を提供しており、
移動端末は指定された状況下で操作タイプロック状態に入ること、
前記移動端末は指定されたタイプの操作を検出した後、前記指定されたタイプの操作への応答を禁止することを含む。
【００１０】
上記方法は、前記指定された状況は、
前記移動端末は指定された時間帯内に任意の操作指示を受信していないこと、
前記移動端末は指定されたイベントを検出したこと、及び
前記移動端末は操作タイプロック状態に入る指令を受信したことのいずれか１種の状況を含むことを更に特徴とする。
【００１１】
上記方法は、
前記指定されたイベントは、前記移動端末が着信又は通話過程中にあるイベント、又はユーザによる黒画面待機状態から画面を点灯することを受信したイベントを含むことを更に特徴とする。
【００１２】
上記方法は、前記移動端末は指定された状況下で操作タイプロック状態に入った後のステップは、
前記移動端末は待機インタフェース、又はユーザが最後に操作して滞在しているインタフェースを表示することを更に含むことを更に特徴とする。
【００１３】
上記方法は、前記指定されたタイプの操作は、
画面シングルタッチ、画面ロングタッチ、ボタンシングルタッチ及びボタンロングタッチのうちの１種又は複数種を含むことを更に特徴とする。
【００１４】
上記方法は、前記移動端末は指定された状況下で操作タイプロック状態に入った後、
前記移動端末は操作タイプロック状態を解除する指令を受信した後、操作タイプロック状態からログアウトすることを更に含むことを更に特徴とする。
【００１５】
上記方法は、前記操作タイプロック状態を解除する指令は、
ロックされていない操作指令、又は指定されたアイコンに対する操作指令を含むことを更に特徴とする。
【００１６】
上記問題を解決するために、本発明の実施例は移動端末を更に提供しており、
指定された状況下で操作タイプロック状態に入るように設定される第１モジュール、及び
指定されたタイプの操作を検出した後、前記指定されたタイプの操作への応答を禁止するように設定される第２モジュールを備える。
【００１７】
上記移動端末は、前記指定された状況は、
前記移動端末は指定された時間帯内に任意の操作指示を受信していないこと、
前記移動端末は前記移動端末が着信又は通話過程中にあるイベント、又はユーザが黒画面待機状態から画面を点灯するイベントを含む指定されたイベントを検出したこと、及び
前記移動端末は操作タイプロック状態に入る指令を受信したことのいずれか１種の状況を含むことを更に特徴とする。
【００１８】
上記移動端末は、  
前記第１モジュールが操作タイプロック状態に入った後、待機インタフェース、又はユーザが最後に操作して滞在しているインタフェースを表示するように設定される第３モジュールを更に備えることを更に特徴とする。
【００１９】
上記移動端末は、前記指定されたタイプの操作は、
画面シングルタッチ、画面ロングタッチ、ボタンシングルタッチ及びボタンロングタッチのうちの１種又は複数種を含むことを更に特徴とする。
【００２０】
上記移動端末は、
前記第１モジュールが操作タイプロック状態に入った後、操作タイプロック状態を解除する指令を受信した後、操作タイプロック状態からログアウトするように設定される第４モジュールを更に備えることを更に特徴とする。
【００２１】
上記移動端末は、前記操作タイプロック状態を解除する指令は、
ロックされていない操作指令、又は指定されたアイコンに対する操作指令を含むことを更に特徴とする。
【発明の効果】
【００２２】
以上のように、本発明の実施例はタッチスクリーン端末の操作制御方法及び移動端末を提供し、それにより、ユーザが移動端末を使用する時、画面の画面ロックと同様な、ミスタッチタ又は誤操作を予防する効果を得ることができるとともに、待機インタフェースの内容を見る必要がある時、不必要な画面ロックインタフェースにブロックされず、それによりユーザの操作を簡素化し、移動端末の操作エクスペリエンスを向上させる。
【図面の簡単な説明】
【００２３】
【図１】図１は本発明の実施例によるタッチスクリーン端末の操作制御方法のフローチャートである。
【図２】図２は本発明の実施例一による携帯電話が待機インタフェースにある操作コントロールのフローチャートである。
【図３】図３は本発明の実施例二による携帯電話が通話インタフェースにあるフローチャートである。
【図４】図４は本発明の実施例による携帯電話の異なるアプリケーションメニュインタフェースの操作模式図である。
【図５】図５は本発明の実施例によるブラウザのブラウジングインタフェースの模式図である。
【図６】図６は本発明の実施例による移動端末の模式図である。
【発明を実施するための形態】
【００２４】
以下、図面を参照しながら本発明の実施例を詳細に説明する。ただし、衝突がない場合、本願における実施例及び実施例における特徴は互いに任意に組み合せることができる。
【００２５】
図１は本発明の実施例によるタッチスクリーン端末の操作制御方法のフローチャートであり、図１に示すように、
移動端末は指定された状況下で操作タイプロック状態に入るＳ１０、
移動端末は指定されたタイプの操作を検出した後、該指定されたタイプの操作への応答を禁止するＳ２０、を含む。
【００２６】
本実施例の方法は現在のインタフェース表示に影響を与えないまま、いくつの特定された操作タイプをロックしてユーザの誤操作を防止する。
【００２７】
そのうち、前記指定された状況は、
移動端末が指定された時間帯内にユーザに操作されないと、操作タイプロック状態に入ることを含むがそれらに限定されず、
移動端末は指定されたイベントを検出し、たとえば、黒画面待機状態にある時、ユーザによる黒画面待機状態から画面を点灯することを検出した、操作タイプロック状態に入る。更に例えば、移動端末が着信又は通話中にあり、ユーザがタッチスクリーンをミスタッチして電話を切ることを避けるために、携帯電話は操作タイプロック状態に入る。
【００２８】
移動端末は操作タイプロック状態に入る指令を受信し、たとえば、ユーザが手動で移動端末メニュオプションをコントロールして、操作タイプロック状態に入らせる。
【００２９】
そのうち、移動端末は操作タイプロック状態に入った後、
インタフェース表示は画面ロックインタフェースを表示しなくなり、直接に待機インタフェース、又はユーザが最後に操作して滞在しているインタフェースを表示し、ユーザがアンロック操作を行う必要がないままに直接に前記インタフェース内容を確認することができることを更に特徴とする。
【００３０】
前記操作タイプロック状態下で、一部のタイプの携帯電話操作に対して応答しない。前記一部のタイプの携帯電話操作は、ユーザがタッチし又はポケットの中に置く場合に誤アンロックを発生させる操作、たとえば、画面シングルタッチ、画面ロングタッチ、ボタンシングルタッチ、ボタンロングタッチである。
【００３１】
前記操作タイプロック状態下で、ロックされていないタイプのユーザ操作に対して依然として正常に応答する。
【００３２】
好ましくは、移動端末は操作タイプロック状態を解除する指令を受信した後、操作タイプロック状態からログアウトし、
前記操作タイプロック状態を解除する指令は、ロックされていない操作指令、又は指定されたアイコンに対する操作指令を含んでもよく、たとえば、ユーザは操作タイプロック状態下で主動的にインタフェース要素に対してロックされていない操作（たとえば、画面ダブルタッチ、ボタンダブルタッチ等）を行った後、移動端末は直接に操作タイプロック状態からログアウトして、すべての操作に応答する正常状態に回復することができる。
【００３３】
普通、ユーザが本発明の実施例に記載の操作タイプロック状態の時携帯電話をポケットの中に置いて誤操作を発生させることを防止するために、一部の操作タイプをロックすることにより、画面ロックと同様な誤操作防止目的を達し、該状態下で、応答を禁止する必要があるユーザ操作は画面シングルタッチ、画面ロングタッチ、ボタンシングルタッチ、ボタンロングタッチ等を有してもよく、応答することができる操作は画面ダブルタッチ、ボタン組合せ、画面ドラッグ等を有してもよい。これは、普通の場合に、無意識なタッチ中にシングルタッチ及びロングタッチが比較的発生する恐れがあり、ダブルタッチ、ドラッグ及びボタン組合せはユーザが狙いのある操作中に発生する可能性がもっと高い。当然、応答を禁止する操作及び応答することができる操作はユーザが必要に応じて自由に設定してもよい。
【００３４】
本発明の実施例は特定されたシーン下で一部の操作をロックする方法により、画面ロックした時、ユーザが所定の操作によりまず画面をアンロックしてからこそ直感的に携帯電話に表示する内容を見ることができる短所を避け、同時に、画面ロック手段と同様な誤操作防止の目的を達することができる。
【００３５】
本発明の実施例の提案した方法によると、ユーザは操作タイプロック状態下でロックされていない操作を使用してアプリケーションを操作することができ、ユーザが待機状態でアプリケーションをブートする操作ステップを減少させ、ユーザ使用エクスペリエンスを向上させる効果に達する。
【００３６】
以下、画面操作中における画面シングルタッチ、画面ロングタッチへの応答が禁止され、画面ダブルタッチ、画面ドラッグへの応答が許可される状況を例とし、後続の実施例を説明する。ただし、本発明の実施例に記載の操作ロック状態に禁止された操作及び応答する操作は実際の状況又は後続の入力方式の発展に応じて複数の表れ形式を有してもよく、それに限定されない。
【００３７】
図２は本発明の実施例一による携帯電話が待機インタフェースにある操作コントロールのフローチャートであり、図に示すように、
携帯電話によるユーザの未操作時間が所定の閾値に達したかどうかを判断するＳ１０２、
ユーザの未操作時間が閾値に達したと、操作ロック状態に入り、本実例中において、ロック状態はシングルタッチ又はロングタッチ操作を禁止するＳ１０４、
その後、携帯電話は画面シングルタッチ又はロングタッチ操作に対して応答せず、しかしながらユーザがインタフェース要素をダブルタッチ又はドラッグする操作を行ったかどうかを絶えずに判断するＳ１０６、
ユーザがインタフェース要素をダブルタッチ又はドラッグする操作を行った時、まず所定の策略に従ってユーザの対応操作へ応答し、たとえば、ドラッグ操作への応答はドラッグの終点に基づいてインタフェース要素の表示位置を変更し、ダブルタッチ操作への応答は直接にインタフェース要素に対応する設定又はアプリケーションプログラムを実行するＳ１０８、
ユーザ操作へ応答した後、直接にインタフェースユーザ操作ロック状態を解除し、改めてシングルタッチ及びロングタッチへ応答することができる正常状態に回復するＳ１１０を含んでもよい。
【００３８】
音声通話する時、常にユーザは着信の時ポケットの中から携帯電話を取り出して、指の画面でのタッチによって誤って電話を切る又は誤って電話に出る場合がり、更に通話過程中において、ユーザが携帯電話を顔に近くして誤って電話を切る場合もある。本発明の実施例に記載の操作タイプロック状態はこのシーンにも適用できる。
【００３９】
図３に示すように、本発明の実施例二による携帯電話が通話インタフェースにあるフローチャートであり、
通話着信インタフェースにおいて、ユーザの誤操作を防止するために、自動的にシングルタッチ及びロングタッチ操作をロックし、ユーザがダブルタッチ及びドラッグ操作により着信を操作することのみができるＳ２０２、
ユーザがダブルタッチ又はドラッグ操作で操作を行う時、通話インタフェースに入るＳ２０４、
通話中インタフェースにおいて、シングルタッチ及びロングタッチ操作を引き続きロックし、ユーザ通話中に顔を携帯電話画面に近くする時起こす恐れがあるタッチスクリーン誤操作を防止するＳ２０６、
該操作ロック状態下で、ユーザがインタフェース要素をダブルタッチ又はドラッグする操作を行ったかどうかを判断するＳ２０８、
ユーザがインタフェース要素をダブルタッチ又はドラッグする操作を行ったと、所定の策略に基づいて操作へ応答するＳ２１０、
操作へ応答した後、自動的に操作ロック状態を解除するＳ２１４、
メニュ中にスイッチ操作ロック状態のオプション、又はインタフェース操作アイコンを設定しもよく、ユーザはそれを操作する時、直接に操作ロック状態に入る又は操作ロック状態を解除することができるＳ２１２、
操作ロックを解除した状態下で、ユーザはＳ２１２に記載のオプション又はインタフェース操作アイコンにより手動で操作ロック状態に入ることができるＳ２１６、
ユーザが手動で操作ロック状態に入ると、通話インタフェースは改めて一部の操作をロックするＳ２１８、を含んでもよい。
【００４０】
図４は本発明の実施例による携帯電話の異なるアプリケーションメニュインタフェースの操作模式図であり、図４は音声電話中の通話インタフェースを示し、通話インタフェース中において、一つの操作ロックアイコンを追加する。携帯電話が音声通話中に、操作ロックされていない状態にある時、該アイコンは「操作ロック」として表示し、この時、該アイコンを操作することは、携帯電話が操作タイプロック状態に入る指令を受信したことに相当し、音声通話インタフェースを操作ロック状態に入らせることができ、ロックされていない操作、例えばダブルタッチ又はドラッグのみへ応答する。
【００４１】
それに応じて、音声通話中において操作ロック状態に入った時、対応するところのアイコンは「ロック解除」として表示してもよい。この時、画面が応答可能な操作で「ロック解除」アイコンを操作する時（もちろん、他のアイコンを操作して操作ロック状態を解除する効果を達することもできる）、すなわち携帯電話は操作タイプロックを解除する指令を受信し、任意の操作を制限しない状態に画面を戻らせる。
【００４２】
これは手動操作の説明であり、ユーザが未ロック状態下で一定の時間滞在して任意の操作を行っていない時、音声通話インタフェースも自動的に操作ロック状態に入る。
【００４３】
図５は本発明の実施例によるブラウザのブラウジングインタフェースの模式図であり、図に示すように、ブラウザメニュ中に「操作ロック」のアイコンを追加し、ユーザが主動的に該アイコンをタッチする時、ブラウザは操作ロック状態に入る。前記の音声通話インタフェースの例と似て、操作ロック状態で、ブラウザの部分操作を禁止することにより、ユーザが誤操作することを防止する。音声通話インタフェースの状況と似ており、ここでは繰り返して説明しない。
【００４４】
図６は本発明の実施例による移動端末の模式図であり、図６に示すように、本実施例の移動端末は、
指定された状況下で操作タイプロック状態に入るように設定される第１モジュール６０１、
指定されたタイプの操作を検出した後、該指定されたタイプの操作への応答を禁止するように設定される第２モジュール６０２を備える。
【００４５】
そのうち、前記指定された状況は、
前記移動端末は指定された時間帯内に任意の操作指示を受信していないこと、
前記移動端末は前記移動端末が着信又は通話過程中にあるイベント、又はユーザが黒画面待機状態から画面を点灯するイベントを含む指定されたイベントを検出したこと、
前記移動端末は操作タイプロック状態に入る指令を受信したことのいずれか１種の状況を含む。
【００４６】
そのうち、前記指定されたタイプの操作は、
画面シングルタッチ、画面ロングタッチ、ボタンシングルタッチ及びボタンロングタッチのうちの１種又は複数種を含む。
【００４７】
一つの好適な実施例中において、前記移動端末は、
前記第１モジュール６０１が操作タイプロック状態に入った後、待機インタフェース、又はユーザが最後に操作して滞在しているインタフェースを表示するように設定される第３モジュール６０３を更に備えてもよい。
【００４８】
一つの好適な実施例中において、前記移動端末は、
前記第１モジュール６０１が操作タイプロック状態に入った後、操作タイプロック状態を解除する指令を受信した後、操作タイプロック状態からログアウトするように設定される第４モジュール６０４を更に備えてもよい。
【００４９】
前記操作タイプロック状態を解除する指令は、ロックされていない操作指令、又は指定されたアイコンに対する操作指令を含んでもよい。
【００５０】
一般の当業者は、上記方法における全部又は一部のステップをプログラムによって関連ハードウェアに指令を出して完成させることができ、前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明の実施例はあらゆる特定形式のハードウェアとソフトウェアの組合せに限らない。
【００５１】
以上は本発明の好適な実施案例に過ぎず、もちろん、本発明は更に他の複数の種の実施例を有してもよく、本発明の趣旨とその実質を逸脱しない場合に、本分野に詳しい当業者は本発明に基づいて各種の相応する変更又は変形を行うことができ、これらの変更又は変形はいずれも本発明の請求の範囲の保護範囲に含まれる。
【産業上の利用可能性】
【００５２】
本発明の実施例提供タッチスクリーン端末の操作制御方法及び移動端末、可それによりユーザが移動端末を使用する時、画面の画面ロックと同様な、ミスタッチ又は誤操作を予防する効果を得ることができるとともに、待機インタフェースの内容を見る必要がある時、不必要な画面ロックインタフェースにブロックされず、それによりユーザの操作を簡素化し、移動端末の操作エクスペリエンスを向上させる。
【図１】
2015527652.tif 000003
【図２】
2015527652.tif 000004
【図３】
2015527652.tif 000005
【図４】
2015527652.tif 000006
【図５】
2015527652.tif 000007
【図６】
2015527652.tif 000008
【国際調査報告】
2015527652.tif 000009
2015527652.tif 000010
2015527652.tif 000011
2015527652.tif 000012